(57)【要約】      （修正有）【課題】従来の腹痛・腰痛防止健康椅子において、各当部のスプリング使用で弾力的反発力により、腹部には指圧鼓動を作用させ、肘当部では腕を押え前かがみ姿勢と座部上での足の組替えは、手足の自由を奪い不安定で安心安全に欠けるのでこれを改善する。【解決手段】各当部からスプリングを取除き、腹当部の型状を状況に合わせスライドレールでワンタッチ交換し、体形に合った位置に作動させ、足の長さに合った位置で足の組替えを自由にし、安心・安全・安定を得られる調整機能を備える。【選択図】図１
2013165955.tif 000002
【特許請求の範囲】
【請求項１】
椅子の背もたれの替りに前面腹当部を、座部に前面斜傾尻当部を設け、上記各当部に角度・前後・上下のいずれかの調整機能を有する装置を備えたことを特徴とする安心逆座椅子。
【請求項２】
前面腹当部の腹当部に保温機能を備えていることを特徴とする請求項１の安心逆座椅子。
【請求項３】
前面腹当部の腹当支柱は、台座上で尻当部の前より３分の１程の位置で体形に合せる機能を備えたことを特徴とする請求項１の安心逆座椅。
【発明の詳細な説明】
【００１０】  図８各当部は布（３８）シートヒーター（３９）スポンジ（４０）断熱材（４１）各当板（２）（１４）（２３）（３２）（３５）による構成で、切替スイッチと温度調整を備え夏場のクーラーの冷え性対策にもなる保温機能を備えた装置である。
【００１１】  図９は従来の逆座腹もたれ椅子である、発明の逆座椅子との相違点を挙げると、腹痛・腰痛防止の健康椅子対身体保持・保温の作業椅子、スプリング調整と座部上での足の組替対自由な足の組替、などの相違点を見ることができる。
【発明の効果】
【００１２】  腹を温めて座ることで気持よく気分が落着き安心・安全・安定を得られる。自然なカタチの腹圧で背筋を伸ばした姿勢を保持し、又足の組替えを自由にし、体の負担を軽減することで長時間の着座作業が苦にならず仕事に集中でき、心身共に安心でここちよい立位座位姿勢の座りができる。
【図面の簡単な説明】
【図１】  安心逆座椅子の全形を示す視斜図と側面図である。
【図２】  安心逆座椅子の使用例を示す側面図である。
【図３】  安心逆座椅子の前面腹当調整装置を示す側面図である。
【図４】  安心逆座椅子の前面斜傾尻当調整装置を示す側面図である。
【図５】  安心逆座椅子の当部の型状を示す側面図である。
【図６】  安心逆座椅子の当部の内部を示す断面図である。
【図７】  安心逆座椅子の台座の長穴の位置を示す平面図である。
【図８】  従来の逆座もたれ椅子の全形と腹当部・肘当部・座部を示す側面図と断面図である。
【符号の説明】  Ａ．前面腹当部
Ｂ．前面斜傾腹当部
Ｃ．普通座型
Ｄ．膝立座型
Ｅ．後面足当部
１．腹当部
２．腹当板
３．腹当台
４．スライドレール
５．軸棒
６．軸受具
７．角パイプ
８．丸ネジ
９．腹当支柱
１０．グリップネジ大
１１．台座
１２．グリップネジ中
１３．尻当部
１４．尻当板
１５．尻当台
１６．台座枠
１７．Ｗグリップナット
１８．長ネジ
１９．昇降レバー
２０．台座支柱
２１．台座盤
３８．布
３９．シートヒーター
４０．スポンジ
４１．断熱材
【図１】
2013165955.tif 000003
【図２】
2013165955.tif 000004
【図３】
2013165955.tif 000005
【図４】
2013165955.tif 000006
【図５】
2013165955.tif 000007
【図６】
2013165955.tif 000008
【図７】
2013165955.tif 000009
【図８】
2013165955.tif 000010
【手続補正書】
【提出日】平成25年3月21日(2013.3.21)
【手続補正１】
【補正対象書類名】特許請求の範囲
【補正対象項目名】請求項１
【補正方法】変更
【補正の内容】
【請求項１】
既製椅子の背もたれ部の替りに前面腹当部と、座部の替りに設けられた、台座の上に設置される前面斜傾尻当部とを有し、上記前面腹当部の腹当面は上記台座支柱の上方に設けられ、上記前面斜傾尻当部には、前方両端に湾曲の切り欠け部を設けたことを特微とする安心逆座椅子。
【手続補正２】
【補正対象書類名】明細書
【補正対象項目名】全文
【補正方法】変更
【補正の内容】
【発明の詳細な説明】
【発明に属する技術分野】
【０００１】  本発明は着座による長時間作業で肉体的・精神的な負担を軽減する為の安心逆座椅子に関するものである。
【背景技術】
【０００２】  従来の椅子は腹当部・肘当部・座部にスプリングを使用し、腹を反発力で突起物により指圧鼓動させ、肘角度の上下動を弾力的に強弱で体重を分散させ、座部の上で正座・あぐら座などで前かがみ姿勢を自動的に付加させ、腹痛・腰痛防止が目的の腹もたれ式の健康椅子である。
（特願２００１−２４７４６４    特開２００２−１２５８０３）
【発明が解決しようとする課題】
【０００３】  従来の椅子は各当部にスプリングを使用し、常時振れ動いている為に不安定である。又肘当部に腕を押え前かがみとなり、座部の上で足の組替は動きづらく体に負担をかける。
【発明が解決するための手段】
【０００４】  上記の目的を達成するために各当部のスプリングを取除き、腹当部と尻当部の型状を状況に合ったものにし、体形に合った位置で作動させる。背中・腰が伸びた姿勢を保持する調整機能を備える。
【発明を実施するための形態】
【０００５】  発明の実施の形態を実施例にもとづき図面を参照して説明する。
【０００６】      図１に示すように逆座椅子は前面腹当部（Ａ）前面斜傾尻当部（Ｂ）で構成し、それぞれが調整機能を装備し最適なカタチで体重を分散して座ることができる。
【０００７】  図２で示す座りのカタチは膝立座型（Ｄ）が基本で自在な足の組替ができる。
【０００８】  図３は腹当部（１）を個々の体形に合った最適な位置を決める為に、角度調整は角パイプ（７）の先端に軸棒（５）を縦又は横に溶接し軸受具（６）を取付け、それを腹当台（
2013165955.tif 000011
上下調整は角パイプ（７）を腹当支柱（９）に通し移動させ身長に合わせ腹の中央に当るようにグリップネジ大（１０）で止める。前後調整は腹当支柱（９）を台座（１１）上で移動させ体形に合わせグリップネジ大（１０）で止める。基本的には尻当部（１３）の１／３の位置にある。又、腹当部（１）の異なった型状の交換は腹当台（３）にスライドレール（４）を取付け腹当板（２）の両側を挟みスライドさせ脱着する機能を備えた前面腹当部の装置である。
【０００９】  図４は尻当部（１３）を個々の体形に合った最適な位置を決める為に、角度調整は台座枠（１６）の後の長穴に長ネジ（１８）とＷグリップナット（１７）を取付け、尻当台（１５）のネジ穴に長ネジ（１８）を固定しＷグリップナット（１７）を回し上下動させ、確実に腹当部（１）の中央に腹が当る角度で止める基本的には１８度前後である。前後調整は台座（１１）の長穴上で台座枠（１６）を体形に合わせ移動させグリップネジ中（１２）で止める。又尻当の異なった型状の交換は尻当台（１５）にスライドレール（４）を取付け尻当板（１４）の両側を挟みスライドさせ脱着する機能を備えた前面斜傾尻当部の装置である。
【００１０】  図６各当部は布（３８）シートヒーター（３９）スポンジ（４０）断熱材（４１）各当板（２）（１４）（２３）（３２）（３５）による構成で、切替スイッチと温度調整を備え夏場のクーラーの冷え性対策にもなる保温機能を備えた装置である。
【００１１】  図８は従来の逆座腹もたれ椅子である、発明の逆座椅子との相違点を挙げると、腹痛・腰痛防止の健康椅子対身体保持・保温の作業椅子、スプリング調整と座部上での足の組替対自由な足の組替、などの相違点を見ることができる。
【発明の効果】
【００１２】  腹を温めて座ることで気持よく気分が落着き安心・安全・安定を得られる。自然なカタチの腹圧で背筋を伸ばした姿勢を保持し、又足の組替えを自由にし、体の負担を軽減することで長時間の着座作業が苦にならず仕事に集中でき、心身共に安心でここちよい立位座位姿勢の座りができる。
【図面の簡単な説明】
【図１】  安心逆座椅子の全形を示す視斜図と側面図である。
【図２】  安心逆座椅子の使用例を示す側面図である。
【図３】  安心逆座椅子の前面腹当調整装置を示す側面図である。
【図４】  安心逆座椅子の前面斜傾尻当調整装置を示す側面図である。
【図５】  安心逆座椅子の当部の型状を示す側面図である。
【図６】  安心逆座椅子の当部の内部を示す断面図である。
【図７】  安心逆座椅子の台座の長穴の位置を示す平面図である。
【図８】  従来の逆座もたれ椅子の全形と腹当部・肘当部・座部を示す側面図と断面図である。
【符号の説明】  Ａ．前面腹当部
2013165955.tif 000012
Ｃ．普通座型
Ｄ．膝立座型
１．腹当部                      ２０．台座支柱
２．腹当板                      ２１．台座盤
３．腹当台                      ３８．布
４．スライドレール              ３９．シートヒーター
５．軸棒                        ４０．スポンジ
６．軸受具                      ４１．断熱材
７．角パイプ
８．丸ネジ
９．腹当支柱
１０．グリップネジ大
１１．台座
１２．グリップネジ中
１３．尻当部
１４．尻当板
１５．尻当台
１６．台座枠
１７．Ｗグリップナット
１８．長ネジ
１９．昇降レバー